(57)【要約】【課題】画素回路におけるトランジスタの数を低減しつつ電気光学素子の発光期間を調整する。【解決手段】電気光学装置１０は、駆動電流に応じた輝度で発光する電気光学素子１１と、駆動電流を制御する駆動トランジスタＴｄｒと、を各々が含む複数の画素回路Ｐと、高位側電源線１０８と、複数の画素回路Ｐのうち少なくとも２つの画素回路Ｐに接続された電位供給ライン１２０との間に設けられたトランジスタＴｒと、を備え、少なくとも２つの画素回路Ｐの各々においては、高位側電源線１０８からトランジスタＴｒおよび電位供給ライン１２０を介して駆動電流が電気光学素子１１へ供給される。【選択図】      図３
2009157305.tif 000002
【特許請求の範囲】
【請求項１】
駆動電流に応じた輝度で発光する電気光学素子と、前記駆動電流を制御する駆動トランジスタと、を各々が含む複数の単位回路と、
定電位が供給される給電線と、前記複数の単位回路のうち少なくとも２つの単位回路に接続された電位供給ラインとの間に設けられた第１のスイッチング手段と、を備え、
前記少なくとも２つの単位回路の各々においては、
前記給電線から前記第１のスイッチング手段および前記電位供給ラインを介して前記駆動電流が前記電気光学素子へ供給される
電気光学装置。
【請求項２】
請求項１に記載の電気光学装置であって、
前記単位回路における前記電気光学素子の階調に応じたデータ電位が供給されるデータ線と、
前記データ電位を前記データ線から前記単位回路内に供給し、前記駆動トランジスタのゲートに前記データ電位に対応した電位を設定する第２のスイッチング手段と、を備え、
前記少なくとも２つの単位回路のうち第１の単位回路および第２の単位回路において、前記第２のスイッチング手段は、走査信号が供給される走査線に共通に接続される
電気光学装置。
【請求項３】
請求項１に記載の電気光学装置であって、
前記少なくとも２つの単位回路のうち第１の単位回路および第２の単位回路においては、前記駆動トランジスタのゲートの電位は、共通のデータ線から供給されるデータ信号に応じて設定される
電気光学装置。
【請求項４】
請求項１記載の電気光学装置であって、
前記単位回路における前記電気光学素子の階調に応じたデータ電位が供給されるデータ線と、
前記データ電位を前記データ線から前記単位回路内に供給し、前記駆動トランジスタのゲートに前記データ電位に対応した電位を設定する第２のスイッチング手段と、を備え、
第１期間において前記第２のスイッチング手段はオン状態を維持し、前記第１期間の始点と終点との間における時点から前記第１期間の経過後の時点までの第２期間において前記第１スイッチング手段はオン状態を維持する
電気光学装置。
【請求項５】
請求項１から請求項４の何れかに記載の電気光学装置であって、
前記少なくとも２つの単位回路は、それぞれ異なる色に対応する
電気光学装置。
【請求項６】
請求項１から請求項５の何れかの電気光学装置を備えた電子機器。
【発明の詳細な説明】
【技術分野】
【０００１】
本発明は、電気光学素子を利用した電気光学装置や電子機器に関する。
【背景技術】
【０００２】
近年、有機ＥＬ（ElectroLuminescent）素子や発光ポリマー素子などと呼ばれる有機発光ダイオード（Organic Light Emitting Diode、以下「ＯＬＥＤ」という）素子などの電気光学素子を駆動する回路を用いた画像表示装置が各種提案されている。このような画像表示装置においては、電気光学素子の発光が１垂直走査期間内にわたって維持されるため、動画を表示した際には、表示画像に動画ボケが発生して動画の表示画質が劣化するという問題がある。動画ボケを抑制するためには、１垂直走査期間内における電気光学素子の発光期間を短縮し、画像を一定期間だけ黒表示とすることが有効な手法の１つであることが知られている。特許文献１には、この動画ボケを抑制するための構成が開示されている。
【０００３】
図１６は、特許文献１に開示された画素回路の構成を示す回路図である。図１６に示すように、ＯＬＥＤ素子は、電源電位ＶＥＬが供給される電源線と接地電位ＧＮＤが供給される接地線との間に介挿される。駆動トランジスタＴｄは、駆動電流を制御するための手段であり、電源線とＯＬＥＤ素子との間に介挿される。駆動トランジスタＴｄのゲートとソースとの間には、容量素子Ｃｓが介挿される。駆動トランジスタＴｄのゲートと、ＯＬＥＤ素子の階調に応じた電位（以下「データ電位」という）が供給されるデータラインとの間には、駆動トランジスタＴｄのゲートおよび容量素子Ｃｓに対してデータ電位を供給するか否かを切り替えるトランジスタＴ１が設けられる。また、駆動トランジスタＴｄからＯＬＥＤ素子の陽極に至る電流経路上のＺ点から分岐して接地線（すなわちＯＬＥＤ素子の陰極）に接続されるバイパスラインＢには、駆動電流がＯＬＥＤ素子に供給されないようにバイパスするか否かを切り替えるトランジスタＴ２が設けられる。
【０００４】
以上の構成において、第１に、トランジスタＴ１がオン状態に遷移するとともにトランジスタＴ２がオン状態に遷移する。そうすると、データラインからのデータ電位が駆動トランジスタＴｄのゲートに供給されるとともに容量素子Ｃｓに充電される。トランジスタＴ２がオン状態であるため、駆動トランジスタＴｄのゲートの電位に応じた駆動電流は、ＯＬＥＤ素子には供給されずにバイパスラインＢを介して接地線へ流れる。第２に、トランジスタＴ１がオフ状態に遷移するとともにトランジスタＴ２がオフ状態に遷移する。従って、駆動トランジスタＴｄのゲートの電位に応じた駆動電流がＯＬＥＤ素子に供給され、ＯＬＥＤ素子はその駆動電流に応じた輝度で発光する。第３に、トランジスタＴ２がオン状態に遷移する。従って、駆動電流はＯＬＥＤ素子を流れずにバイパスラインＢを介して接地線へ流れるから、ＯＬＥＤ素子の発光輝度はゼロとなる。特許文献１の構成によれば、トランジスタＴ２がオン状態を維持する時間を制御することでＯＬＥＤ素子が発光する発光期間を調整できるから、１垂直走査期間内において画像を所定期間だけ黒表示とすることができる。これによって、動画ボケを抑制できる。
【特許文献１】特開２００４−２９２４７号公報
【発明の開示】
【発明が解決しようとする課題】
【０００５】
しかしながら、特許文献１の構成においては、ＯＬＥＤ素子の発光期間を調整するために画素ごとにトランジスタＴ２を設ける必要がある。このため、トランジスタＴ２を設けない構成と比べて、１画素あたりに必要とされるトランジスタの数が増大する。１画素あたりのトランジスタの数が増大すると、画素回路の開口率低下や歩留まり低下などの問題が生じてしまう。
本発明はこのような事情に鑑みてなされたものであり、画素回路におけるトランジスタの数を低減しつつ電気光学素子の発光期間を調整するという課題の解決を目的としている。
【課題を解決するための手段】
【０００６】
以上の課題を解決するために、本発明に係る電気光学装置は、駆動電流に応じた輝度で発光する電気光学素子と、駆動電流を制御する駆動トランジスタと、を各々が含む複数の単位回路（例えば図４に示す画素回路Ｐを含む）と、定電位が供給される給電線（例えば図４に示す高位側電源線１０８および低位側電源線１１０を含む）と、複数の単位回路のうち少なくとも２つの単位回路に接続された電位供給ラインとの間に設けられた第１のスイッチング手段（例えば図４に示すトランジスタＴｒを含む）と、を備え、少なくとも２つの単位回路の各々においては、給電線から第１のスイッチング手段および電位供給ラインを介して駆動電流が電気光学素子へ供給される。
【０００７】
以上の態様によれば、複数の単位回路のうち少なくとも２つの単位回路においては、それらの単位回路における電気光学素子に対して駆動電流を供給するか否かを切り替える第１のスイッチング手段が共用されるから、１つの単位回路あたりに必要とされるトランジスタの数を低減できる。
【０００８】
本発明に係る電気光学装置において、単位回路における電気光学素子の階調に応じたデータ電位が供給されるデータ線と、データ電位をデータ線から単位回路内に供給し、駆動トランジスタのゲートにデータ電位に対応した電位を設定する第２のスイッチング手段（例えば図４に示すトランジスタＴｓｗを含む）と、を備え、少なくとも２つの単位回路のうち第１の単位回路および第２の単位回路において、第２のスイッチング手段は、走査信号が供給される走査線に共通に接続される。また、本発明に係る発光装置において、少なくとも２つの単位回路のうち第１の単位回路および第２の単位回路においては、駆動トランジスタのゲートの電位は、共通のデータ線から供給されるデータ信号に応じて設定される。
【０００９】
本発明に係る電気光学装置において、単位回路における前記電気光学素子の階調に応じたデータ電位が供給されるデータ線と、データ電位をデータ線から単位回路内に供給し、駆動トランジスタのゲートにデータ電位に対応した電位を設定する第２のスイッチング手段と、を備え、第１期間において第２のスイッチング手段はオン状態を維持し、第１期間（例えば図２に示す書込期間ＰWRTを含む）の始点と終点との間における時点から第１期間の経過後の時点までの第２期間（例えば図２に示す発光期間を含む）において第１スイッチング手段はオン状態を維持する。この態様によれば、第２期間の始点においても駆動トランジスタのゲートにはデータ電位が供給されるから、駆動トランジスタのゲートの電位はデータ電位に保持される。従って、第２期間が開始されて第１スイッチング手段がオン状態に遷移しても駆動トランジスタのゲートの電位が変動することを抑制できる。
【００１０】
本発明に係る電気光学装置において、少なくとも２つの単位回路は、それぞれ異なる発光色に対応する。この態様によれば、給電線から第１のスイッチング手段を介して当該少なくとも２つの単位回路の各々へ供給される駆動電流が均一化されるから、各発光色の発光強度が均一化される。
【００１１】
本発明に係る電気光学装置は各種の電子機器に利用される。この電子機器の典型例は、発光装置を表示装置として利用した機器である。この種の機器としては、パーソナルコンピュータや携帯電話機などがある。もっとも、本発明に係る発光装置の用途は画像の表示に限定されない。例えば、光線の照射によって感光体ドラムなどの像担持体に潜像を形成する構成の画像形成装置（印刷装置）においては、像担持体を露光する手段（いわゆる露光ヘッド）として本発明の電気光学装置を採用することもできる。
【発明を実施するための最良の形態】
【００１２】
＜Ａ：第１実施形態＞
図１は、本実施形態に係る電気光学装置１０の構成を示すブロック図である。この電気光学装置１０は、画像を表示するための手段として各種の電子機器に採用される装置であり、複数の画素回路Ｐが面状に配列された画素アレイ部１００と、各画素回路Ｐを駆動する走査線駆動回路２０およびデータ線駆動回路２２と、電気光学装置１０で利用される各種電位を生成する電位生成部２４と、を有する。なお、図１においては、走査線駆動回路２０とデータ線駆動回路２２と電位生成部２４とが別個の回路として図示されているが、これらの回路の一部または全部が単一の回路とされた構成も採用される。
【００１３】
図１に示すように、画素アレイ部１００には、Ｘ方向に延在するｍ本の走査線１０２と、Ｘ方向に直交するＹ方向に延在するｎ本のデータ線１０４とが設けられる（ｍおよびｎは自然数）。各画素回路Ｐは、走査線１０２とデータ線１０４との交差に対応する位置に配置される。従って、これらの画素回路Ｐは縦ｍ行×横ｎ列のマトリクス状に配列する。図１においては走査線１０２のみがＸ方向に延在しているが、図３および図４に示すように、各走査線１０２と対をなすｍ本の発光制御線１０６がＸ方向に延在する。
【００１４】
図１に示す走査線駆動回路２０は、複数の画素回路Ｐを水平走査期間ごとに行単位で選択するための回路である。走査線駆動回路２０は、１水平走査期間ごとに１行ずつ走査線１０２を選択するとともに、この選択に同期した発光制御信号を発光制御線１０６にそれぞれ供給する。具体的には、走査線駆動回路２０は、ｍ本の走査線１０２の各々に走査信号ＧＷＲＴ[１]〜ＧＷＲＴ[ｍ]を出力する。また、走査線駆動回路２０は、ｍ本の発光制御線１０６の各々に発光制御信号ＧＥＬ[１]〜ＧＥＬ[ｍ]を出力する。
【００１５】
図２は、走査線駆動回路２０が生成する各信号の具体的な波形を示す図である。図２に示すように、走査信号ＧＷＲＴ[１]ないしＧＷＲＴ[ｍ]は、書込期間ＰWRT（水平走査期間１Ｈ）ごとに順番にローレベルとなる。すなわち、第ｉ行目（ｉ＝１〜ｍ）の走査線１０２に供給される走査信号ＧＷＲＴ[ｉ]は、垂直走査期間（１Ｖ）のうち第ｉ番目の書込期間ＰWRTにおいてローレベルを維持するとともにそれ以外の期間ではハイレベルを維持する。走査信号ＧＷＲＴ[ｉ]のローレベルへの遷移は第ｉ行の各画素回路Ｐの選択を意味する。なお、図２においては走査信号ＧＷＲＴ[ｉ]の立ち上がりとその次行の走査信号ＧＷＲＴ[ｉ＋１]の立ち下がりとを同時とした場合が例示されているが、走査信号ＧＷＲＴ[ｉ]の立ち上がりから所定の時間が経過したタイミングで次行の走査信号ＧＷＲＴ[ｉ＋１]が立ち下がる構成（つまり、各行の書込期間ＰWRTに間隔が設けられた構成）としてもよい。
【００１６】
また、図２に示すように、第ｉ行目（ｉ＝１〜ｍ）の発光制御線１０６に供給される発光制御信号ＧＥＬ[ｉ]は、走査信号ＧＷＲＴ[ｉ]がハイレベルとなる書込期間ＰWRTの終点から、次に走査信号ＧＷＲＴ[ｉ]がローレベルとなる書込期間ＰWRTの始点までの期間Ｐａのうちの所定期間ＰEL（以下「発光期間ＰEL」という）においてローレベルとなり、それ以外の期間においてハイレベルとなる。図２に示す期間Ｐaのうち発光期間ＰEL以外の期間ＰOFFを消灯期間ＰOFFと呼ぶ。
【００１７】
再び図１に戻って説明する。データ線駆動回路２２は、各書込期間ＰWRTで走査線駆動回路２０が選択した走査線１０２に対応する１行分のｎ個の画素回路Ｐの各々に対応するデータ電位ＶＤ[１]ないしＶＤ[ｎ]を生成して各データ線１０４に出力する。第ｉ行が選択される書込期間ＰWRTにおいて第ｊ列目（ｊは１≦ｊ≦ｎを満たす整数）のデータ線１０４に出力されるデータ電位ＶＤ[ｊ]は、第ｉ行の第ｊ列目に位置する画素回路Ｐに対して指定された階調に対応する電位となる。
【００１８】
電位生成部２４は、電源の高位側の電位（電源電位）ＶＥＬおよび低位側の電位（接地電位）ＶＣＴを生成する。電位生成部２４で生成された電源電位ＶＥＬは、高位側電源線１０８を介して各画素回路に共通に供給される。また、電位生成部２４で生成された接地電位ＶＣＴは、低位側電源線１１０を介して各画素回路Ｐに共通に供給される。
【００１９】
図３は、第ｉ行に属する複数（ｎ個）の画素回路Ｐを簡略化して示したブロック図である。図３に示すように、Ｘ方向に隣接する２個の画素回路Ｐは組Ｃを構成する。本実施形態では、ｎ／２個の組ＣがＸ方向に沿って配列する。図３に示すように、各組ＣごとにトランジスタＴｒが設けられる。さらに詳述すると、ｎ／２個の組Ｃの各々について、高位側電源線１０８と、当該組Ｃにおける各画素回路Ｐに接続された電位供給ライン１２０との間には、両者の導通および非導通を切り替えるＰチャネル型のトランジスタＴｒが介挿される。トランジスタＴｒのソースは高位側電源線１０８に接続されるとともにドレインは電位供給ライン１２０に接続される。第ｉ行のｎ／２個のトランジスタＴｒのゲートは第ｉ行目の発光制御線１０６に共通に接続され、発光制御信号ＧＥＬ[ｉ]がローレベルに遷移するとトランジスタＴｒがオン状態となる。これによって、高位側電源線１０８からトランジスタＴｒを介して、このトランジスタＴｒに対応する組Ｃに属する各画素回路Ｐへ電流が供給される。一方、発光制御信号ＧＥＬ[ｉ]がハイレベルに遷移するとトランジスタＴｒはオフ状態となって、このトランジスタＴｒに対応する組Ｃの各画素回路Ｐに対する電流の供給が遮断される。
【００２０】
図４は、第ｉ行のｎ／２個の組Ｃのうちの１つの組Ｃについての詳細な電気的構成を示す回路図である。他の組Ｃについても図４に示す構成と同じである。図４に示す組Ｃは、第ｊ列目の画素回路Ｐと第ｊ＋１列目の画素回路Ｐとで構成される。各画素回路Ｐは、Ｐチャネル型の駆動トランジスタＴｄｒと、容量素子Ｃｈと、Ｐチャネル型のトランジスタＴｓｗと、電気光学素子１１とを備える。電気光学素子１１は、陽極と陰極との間に有機ＥＬ材料の発光層を介在させたＯＬＥＤ素子であって、高位側電源線１０８と低位側電源線１１０との間に介挿される。
【００２１】
駆動トランジスタＴｄｒは、電気光学素子１１へ供給される駆動電流をゲートの電位に応じて制御するための手段であり、高位側電源線１０８と電気光学素子１１との間に介挿される。駆動トランジスタＴｄｒのソースには、電位供給ライン１２０が接続される。容量素子Ｃｈの一方の電極は駆動トランジスタＴｄｒのゲートに接続され、他方の電極は高位側電源線１０８に接続される。また、図４に示すように、第ｊ列目の画素回路Ｐにおける駆動トランジスタのゲートと第ｊ列目のデータ線１０４との間には、両者の導通および非導通を切り替えるためのトランジスタＴｓｗが介挿される。トランジスタＴｓｗは、データ電位ＶＤを画素回路Ｐ内に供給し、駆動トランジスタＴｄｒのゲートにデータ電位ＶＤに対応した電位を設定するスイッチング手段である。トランジスタＴｓｗのゲートは走査線１０２に接続され、走査信号ＧＷＲＴ[ｉ]がローレベルに遷移するとトランジスタＴｓｗがオン状態となって、データ線１０４からのデータ電位ＶＤが駆動トランジスタＴｄｒのゲートに供給される。一方、走査信号GＷＲＴ[ｉ]がハイレベルに遷移するとトランジスタＴｓｗがオフ状態となって、駆動トランジスタＴｄｒのゲートに対するデータ電位ＶＤの供給が遮断される。
【００２２】
次に、図５ないし図７を参照しながら画素回路Ｐの具体的な動作について説明する。以下では、第ｉ行に属する各画素回路Ｐの動作を、書込期間ＰWRTと発光期間ＰELと消灯期間ＰOFFとに区分して説明する。
【００２３】
（ａ）書込期間ＰWRT
書込期間ＰWRTにおいては、図２に示すように、走査信号ＧＷＲＴ[ｉ]がローレベルに遷移するとともに、発光制御信号ＧＥＬ[ｉ]はハイレベルを維持する。従って、図５に示すように、トランジスタＴｓｗはオン状態になり、トランジスタＴｒはオフ状態になる。これにより、各画素回路Ｐにおける駆動トランジスタＴｄｒのゲートと、対応する各データ線１０４とが導通し、各画素回路Ｐにおける電気光学素子１１の階調に応じたデータ電位ＶＤが各駆動トランジスタＴｄｒのゲートに供給されるとともに容量素子Ｃｈに充電される。また、トランジスタＴｒはオフ状態であるから、駆動電流は電気光学素子１１には供給されず、電気光学素子１１は発光しない。
【００２４】
（ｂ）発光期間ＰEL
発光期間ＰELにおいては、図２に示すように、走査信号ＧＷＲＴ[ｉ]がハイレベルに遷移するとともに、発光制御信号ＧＥＬ[ｉ]がローレベルに遷移する。従って、図６に示すように、トランジスタＴｓｗはオフ状態になり、トランジスタＴｒはオン状態になる。これにより、高位側電源線１０８からトランジスタＴｒおよび電位供給ライン１２０を介して各組Ｃの２個の電気光学素子１１の各々へ駆動電流が流れる。発光期間ＰELにおける駆動トランジスタＴｄｒのゲートの電位は、書込期間ＰWRTにおいて容量素子Ｃｈに充電された電位（すなわちデータ電位ＶＤ）に保持される。このため、発光期間ＰELにおいては、データ電位ＶＤに応じた駆動電流が電気光学素子１１へ供給される。従って、電気光学素子１１はデータ電位ＶＤに応じた輝度で発光する。
【００２５】
（ｃ）消灯期間ＰOFF
消灯期間ＰOFFにおいては、図２に示すように、走査信号ＧＷＲＴ[ｉ]がハイレベルを維持するとともに、発光制御信号ＧＥＬ[ｉ]がハイレベルに遷移する。従って、図７に示すように、トランジスタＴｓｗおよびトランジスタＴｒがともにオフ状態になる。これにより、各画素回路Ｐにおける電気光学素子１１に対する駆動電流の供給が遮断されるから、消灯期間ＰOFFにおいては各画素回路Ｐにおける電気光学素子１１は発光しない。
【００２６】
本実施形態においては、トランジスタＴｒのオン状態およびオフ状態を切り替えることによって、各組Ｃに属する画素回路Ｐの電気光学素子１１の発光期間ＰELを調整できる。これにより、１垂直走査期間内において画像を消灯期間ＰOFFだけ黒表示とすることができるから、動画ボケを抑制できる。また、本実施形態においては、複数の画素回路Ｐの組ＣごとにトランジスタＴｒが設けられる。すなわち、各組ＣにおけるトランジスタＴｒは、当該組Ｃを構成する複数の画素回路Ｐで共用される。従って、本実施形態の構成によれば、図１６の構成（以下「従来例」という）に比べて１画素あたりに必要なトランジスタの数を低減できる。より具体的には、従来例においては１画素あたりに必要なトランジスタの数は３個であるところ、本実施形態においては１つの組Ｃを構成する２個の画素回路ＰでトランジスタＴｒが共用されるから、１画素あたりに必要なトランジスタの数は２．５個で済む。
【００２７】
＜Ｂ：第２実施形態＞
本実施形態においては、Ｘ方向に隣接する３個の画素回路Ｐで１つの組Ｃを構成する点で第１実施形態と異なる。その他の構成は第１実施形態の構成と同じであるため重複する部分については説明を省略する。図８は、第ｉ行に属する複数（ｎ個）の画素回路Ｐを簡略化して示したブロック図である。図８に示す符号「Ｒ」、「Ｇ」、「Ｂ」は、各画素回路Ｐにおける電気光学素子１１の発光色を示す。各画素回路Ｐは、「Ｒ」、「Ｇ」、「Ｂ」の何れかの色に対応する。本実施形態においては、図８に示すように、「Ｒ」、「Ｇ」、「Ｂ」の各色を発光色とする３個の画素回路Ｐが１つの組Ｃを構成して１つのトランジスタＴｒを共用する。そして、ｎ／３個の組ＣがＸ方向に延在する。
【００２８】
本実施形態においては、ｎ／３個の組Ｃごとに、当該組Ｃに属する３個の画素回路Ｐで共用されるトランジスタＴｒが設けられるとともに、画素レイアウトがＲＧＢごとに構成されることになる。一般的に、ＲＧＢがひとつの表示単位として用いられるので、各ＲＧＢの画素レイアウトが均一になっていることは表示品質の点で好ましい。
【００２９】
＜Ｃ：変形例＞
本発明は上述した各実施形態に限定されるものではなく、例えば、以下の変形が可能である。また、以下に示す変形例のうちの２以上の変形例を組み合わせることもできる。
（１）変形例１
上述の各実施形態においては、Ｘ方向に隣接する複数の画素回路Ｐで組Ｃを構成したが、１つの組Ｃを構成する画素回路Ｐの組み合わせ（個数・配列）は任意である。例えば、Ｙ方向に隣接する画素回路Ｐで組Ｃを構成することもできる。図９に示す構成においては、データ線１０４に共通に接続されてＹ方向に隣接する２個の画素回路Ｐが組Ｃを構成し、ｎ個の組ＣがＸ方向に延在する。図９に示すように、ｎ個の組Ｃの各々について、高位側電源線１０８と、当該組Ｃにおける各画素回路Ｐに接続された電位供給ライン１２０との間には、トランジスタＴｒが介挿される。すなわち、図９の構成によれば、各組ＣにおけるトランジスタＴｒは当該組Ｃを構成する２個の画素回路Ｐで共用されるから、従来例に比べて１画素あたりに必要なトランジスタの数を低減できる。
【００３０】
また、Ｘ方向およびＹ方向に隣接する複数の画素回路Ｐで組Ｃを構成することもできる。例えば図１０に示す構成においては、Ｘ方向およびＹ方向に隣接する４個の画素回路Ｐが１つの組Ｃを構成して１つのトランジスタＴｒを共用する。図１０の構成によれば、各組ＣにおけるトランジスタＴｒは当該組Ｃを構成する４個の画素回路Ｐで共用されるから、従来例に比べて１画素あたりに必要なトランジスタの数を低減できる。
【００３１】
（２）変形例２
上述の各実施形態において、図１１に示すように、書込期間ＰWRTと発光期間ＰELとが所定期間△ｔだけオーバーラップする態様とすることもできる。さらに詳述すると、図１１に示す態様においては、書込期間ＰWRTの始点と終点との間における時点ｔ０から書込期間ＰWRTの経過後の時点ｔ１までの発光期間ＰELにおいてトランジスタＴｒはオン状態を維持する。この態様によれば、発光期間ＰELが開始されてから△ｔだけ経過するまでは、駆動トランジスタＴｄｒのゲートに対するデータ電位ＶＤの供給が維持された状態で電気光学素子１１に駆動電流が供給される。
【００３２】
例えば、図４に示す構成において、トランジスタＴｓｗがオフ状態に遷移して駆動トランジスタＴｄｒのゲートが電気的なフローティング状態のときに発光期間ＰELが開始されてトランジスタＴｒがオン状態に遷移すると、高位側電源線１０８からの電流が駆動トランジスタＴｄｒのソースへ向かって流れることによってソースの電位が変動する。ここで、駆動トランジスタＴｄｒのソースとゲートとの間には寄生容量が存在するから、ソースの電位が変動すると、ゲートの電位はソースの電位の変動に伴って変動する。従って、電気光学素子１１に供給される駆動電流が変動してしまう。図１１に示す態様においては、発光期間ＰELが開始されてから△ｔだけ経過するまでは、駆動トランジスタＴｄｒのゲートに対するデータ電位ＶＤの供給が維持されるから、発光期間ＰELの開始時にトランジスタＴｒがオン状態に遷移することによって駆動トランジスタＴｄｒのソースの電位が変動しても、駆動トランジスタＴｄｒのゲートの電位はソースの電位の変動に伴って変動することはなく、ゲートの電位はデータ電位ＶＤに保持される。従って、図１１に示す態様によれば、電気光学素子１１に供給される駆動電流を高い精度で目標値に設定できる。
【００３３】
（３）変形例３
上述の各実施形態においては、トランジスタＴｒは、複数の画素回路Ｐのうち少なくとも２つの画素回路Ｐと高位側電源線１０８との間に介挿される態様であるが、これに限らず、複数の画素回路Ｐのうち少なくとも２つの画素回路Ｐと低位側電源線１１０との間にトランジスタＴｒが介挿される態様とすることもできる。例えば図１２に示す構成においては、１つの組Ｃを構成する２個の画素回路Ｐの各々における電気光学素子１１の陰極に接続された電位供給ライン１３０と、低位側電源線１１０との間にトランジスタＴｒが介挿される。要するに、本発明の具体的な形態は、上述の各実施形態に限定されず、電気光学装置１０は、複数の画素回路Ｐのうち少なくとも２つの画素回路Ｐに接続された電位供給ライン１２０または１３０と、定電位が供給される給電線との間に設けられたスイッチング手段を備える態様であればよい。
【００３４】
（４）変形例４
上述の各実施形態においては、トランジスタＴｒはＰチャネル型のトランジスタで構成される態様であるが、これに限らず、Ｎチャネル型のトランジスタで構成することもできる。また、上述の各実施形態においては、トランジスタＴｓｗが駆動トランジスタＴｄｒのゲートに直接接続され、トランジスタＴｓｗがオン状態となることにより、データ線１０４からのデータ電位ＶＤが駆動トランジスタＴｄｒのゲートに直接供給されるようにした。ただし、これに限らず、トランジスタＴｓｗと駆動トランジスタＴｄｒのゲートとの間に容量素子等を配置して、駆動トランジスタＴｄｒのゲートにデータ電位ＶＤに対応した電位を間接的に供給してもよい。
【００３５】
（５）変形例５
上述の各実施形態においては、電気光学素子１１の一例として、ＯＬＥＤ素子を取り上げたが、無機発光ダイオードやＬＥＤ（Ｌｉｇｈｔ  Ｅｍｉｔｔｉｎｇ  Ｄｉｏｄｅ）であってもよい。要は、駆動電流に応じた発光輝度で発光するのであれば、どのような素子であってもよい。
【００３６】
＜Ｄ：応用例＞
次に、本発明に係る電気光学装置１０を利用した電子機器について説明する。図１３は、以上に説明した何れかの形態に係る電気光学装置１０を表示装置として採用したモバイル型のパーソナルコンピュータの構成を示す斜視図である。パーソナルコンピュータ２０００は、表示装置としての発光装置１０と本体部２０１０とを備える。本体部２０１０には、電源スイッチ２００１およびキーボード２００２が設けられている。この電気光学装置１０は電気光学素子１１にＯＬＥＤ素子を使用しているので、視野角が広く見易い画面を表示できる。
【００３７】
図１４に、実施形態に係る電気光学装置１０を適用した携帯電話機の構成を示す。携帯電話機３０００は、複数の操作ボタン３００１およびスクロールボタン３００２、ならびに表示装置としての電気光学装置１０を備える。スクロールボタン３００２を操作することによって、電気光学装置１０に表示される画面がスクロールされる。
【００３８】
図１５に、実施形態に係る電気光学装置１０を適用した携帯情報端末（ＰＤＡ：Personal Digital Assistants）の構成を示す。情報携帯端末４０００は、複数の操作ボタン４００１および電源スイッチ４００２、ならびに表示装置としての電気光学装置１０を備える。電源スイッチ４００２を操作すると、住所録やスケジュール帳といった各種の情報が電気光学装置１０に表示される。
【００３９】
なお、本発明に係る電気光学装置が適用される電子機器としては、図１３から図１５に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る電気光学装置の用途は画像の表示に限定されない。例えば、光書込み型のプリンタや電子複写機といった画像形成装置においては、用紙などの記録材に形成されるべき画像に応じて感光体を露光する書込みヘッドが使用されるが、この種の書込みヘッドとしても本発明の電気光学装置は利用される。本発明にいう電子回路とは、各実施形態のように表示装置の画素を構成する画素回路のほか、画像形成装置における露光の単位となる回路をも含む概念である。
【図面の簡単な説明】
【００４０】
【図１】本発明の第１実施形態に係る電気光学装置の構成を示すブロック図である。
【図２】各信号の波形を示すタイミングチャートである。
【図３】第１実施形態に係る各画素回路を簡略化して示したブロック図である。
【図４】１つの組についての詳細な電気的構成を示す回路図である。
【図５】書込期間における画素回路の動作を説明するための回路図である。
【図６】発光期間における画素回路の動作を説明するための回路図である。
【図７】消灯期間における画素回路の動作を説明するための回路図である。
【図８】第２実施形態に係る各画素回路を簡略化して示したブロック図である。
【図９】本発明の変形例に係る各画素回路を簡略化して示したブロック図である。
【図１０】本発明の変形例に係る各画素回路を簡略化して示したブロック図である。
【図１１】本発明の変形例に係る発光装置における各信号の波形を示すタイミングチャートである。
【図１２】本発明の変形例に係る各画素回路を簡略化して示したブロック図である。
【図１３】本発明に係る電子機器の具体的な形態を示す斜視図である。
【図１４】本発明に係る電子機器の具体的な形態を示す斜視図である。
【図１５】本発明に係る電子機器の具体的な形態を示す斜視図である。
【図１６】従来の画素回路の構成を示す回路図である。
【符号の説明】
【００４１】
１０……電気光学装置、１１……発光素子、２０……走査線駆動回路、２２……データ線駆動回路、２４……電位生成部、１０２……走査線、１０４……データ線、１０６……発光制御線、１０８……高位側電源線、１１０……低位側電源線、１２０……電位供給ライン、１３０……電位供給ライン、Ｃ……組、Ｐ……画素回路、Ｔｄｒ……駆動トランジスタ、Ｔｒ……トランジスタ、Ｔｓｗ……トランジスタ。
【図１】
2009157305.tif 000003
【図２】
2009157305.tif 000004
【図３】
2009157305.tif 000005
【図４】
2009157305.tif 000006
【図５】
2009157305.tif 000007
【図６】
2009157305.tif 000008
【図７】
2009157305.tif 000009
【図８】
2009157305.tif 000010
【図９】
2009157305.tif 000011
【図１０】
2009157305.tif 000012
【図１１】
2009157305.tif 000013
【図１２】
2009157305.tif 000014
【図１３】
2009157305.tif 000015
【図１４】
2009157305.tif 000016
【図１５】
2009157305.tif 000017
【図１６】
2009157305.tif 000018